(57)【要約】【課題】通信回線を通じてメーカーにキャビネットを発注する際に、穴加工の指定とその穴に対応した部品の発注とを同時に行えるようにしたシステムを提供する。【解決手段】サーバ１と端末２とからなり、サーバ１にはキャビネットデータベース４と、キャビネットに取付けられる部品を集めた部品データベース９とが搭載されている。またサーバ１と端末２の何れかに、キャビネットデータベース４から加工対象となるキャビネットを選択する対象選択手段１７と、部品データベースから部品を選択する部品選択手段１８と、選択された部品の穴形状を特定する形状特定手段１９と、特定された穴形状を選択したキャビネットの面上に配置する位置指定手段２０と、選択されたキャビネットと部品とを表示して、発注する際に選択可能とする選択表示手段２１とが設けられている。【選択図】図１２
2014182428.tif 000002
【特許請求の範囲】
【請求項１】
サーバと、このサーバとネットワークを介して接続された端末とからなり、
前記サーバにはキャビネットデータベースと、キャビネットに取付けられる部品を集めた部品データベースとが搭載されており、
さらに前記サーバと前記端末の何れかに、キャビネットデータベースから加工対象となるキャビネットを選択する対象選択手段と、
部品データベースから部品を選択する部品選択手段と、
この部品選択手段により選択された部品の穴形状を特定する形状特定手段と、
特定された穴形状を選択したキャビネットの面上に配置する位置指定手段と、
選択されたキャビネットと部品とを表示して、発注する際に選択可能とする選択表示手段と、を設けたことを特徴とするキャビネットへの穴加工位置指定システム。
【請求項２】
前記サーバと前記端末の何れかに、位置指定手段により指定された穴加工位置をキャビネットデータベースに登録されている禁止領域と対比し、適否を判定する位置判定手段を備えたことを特徴とする請求項１に記載のキャビネットへの穴加工位置指定システム。
【請求項３】
選択されたキャビネットと、選択された商品名とを確認表示する確認表示手段を備えたことを特徴とする請求項２に記載のキャビネットへの穴加工位置指定システム。
【発明の詳細な説明】
【技術分野】
【０００１】
本発明は、配電盤、制御盤などの電子電気機器収納用のキャビネットを顧客がネットワークを介してメーカーに発注する際に用いるキャビネットへの穴加工位置指定システムに関するものである。
【背景技術】
【０００２】
電子電気機器収納用のキャビネットについてはその用途、構造、サイズ等に応じて非常に多数のメーカー標準品が設定されている。そこで最近では顧客が通信回線を通じてメーカー側のデータベースにアクセスし、最適な仕様のキャビネットを選択して発注できるシステムが開発されている。
【０００３】
またキャビネットには、操作スイッチ、計測機器、冷却装置などの各種の部品を取付けることがあり、この場合には各部品に対応した形状の穴加工が必要である。
これらの穴加工は顧客側の使用目的によって異なるため、顧客側がキャビネットのどの面にどのような穴加工を必要とするかを、発注の都度指定することとなる。
【０００４】
この場合の穴加工位置の指定ミスをなくするため、メーカー側のデータベースから読みだしたキャビネットの図面上に顧客が穴加工位置を指定し、指定された穴加工が可能であるか否かをメーカー側で判断できるようにした穴加工指定システムが開発され、特許文献１として公開されている。
【０００５】
この特許文献１のシステムにおいては、穴加工可能範囲及び穴加工不能範囲がキャビネットの図面上に表示され、顧客が穴加工位置を指定する際の参考となるようにしている。顧客はキャビネットに穴加工を指定したのち、別途、部品を検索して発注することとなる。しかしこの作業は穴加工位置の指定と部品発注との二度手間となり、面倒であった。また選択した部品と指定した穴形状とが正確に対応しない発注ミスも発生する可能性があった。
【先行技術文献】
【特許文献】
【０００６】
【特許文献１】特開２００４−１７８３６０号公報
【発明の概要】
【発明が解決しようとする課題】
【０００７】
従って本発明の目的は上記した従来の問題点を解決し、穴加工の指定とその穴に対応した部品の発注とを同時に行えるようにしたキャビネットへの穴加工位置指定システムを提供することである。
【課題を解決するための手段】
【０００８】
上記の課題を解決するためになされた本発明のキャビネットへの穴加工位置指定システムは、サーバと、このサーバとネットワークを介して接続された端末とからなり、前記サーバにはキャビネットデータベースと、キャビネットに取付けられる部品を集めた部品データベースとが搭載されており、さらに前記サーバと前記端末の何れかに、キャビネットデータベースから加工対象となるキャビネットを選択する対象選択手段と、部品データベースから部品を選択する部品選択手段と、この部品選択手段により選択された部品の穴形状を特定する形状特定手段と、特定された穴形状を選択したキャビネットの面上に配置する位置指定手段と、選択されたキャビネットと部品とを表示して、発注する際に選択可能とする選択表示手段と、を設けたことを特徴とするものである。
【０００９】
なお請求項２のように、前記サーバと前記端末の何れかに、位置指定手段により指定された穴加工位置をキャビネットデータベースに登録されている禁止領域と対比し、適否を判定する位置判定手段を設けることが好ましい。また請求項３のように、選択されたキャビネットと部品名とを確認表示する確認表示手段を設けることが好ましい。
【発明の効果】
【００１０】
本発明のキャビネットへの穴加工位置指定システムによれば、顧客がキャビネットデータベース中からキャビネットを選択し、部品データベース中から部品を選択すると、形状特定手段が選択された部品の穴形状を特定し、位置指定手段が特定された穴形状を選択したキャビネットの面上に配置する。このため穴加工の指定をしたキャビネットとその穴に対応した部品を同時に発注するか否かを選択できる利点がある。
【００１１】
また請求項２の発明によれば、位置指定手段により指定された穴加工位置の適否を自動的に判定することができるので、穴加工が行えない禁止領域に穴加工位置を指定してしまうミスを防止することができる。さらに請求項３の発明によれば、発注前に画面上で選択されたキャビネットと選択された部品名とを最終確認することができ、誤発注を防止することができる。
【図面の簡単な説明】
【００１２】
【図１】本発明のシステムの全体構成図である。
【図２】キャビネットデータベースの構成説明図である。
【図３】部品データベースの構成説明図である。
【図４】選択されたキャビネットの図面データを示す説明図である。
【図５】選択された部品とそれに対応する穴形状の説明図である。
【図６】穴パターンの説明図である。
【図７】キャビネットを選択の初期画面である。
【図８】キャビネットを選択の次画面である。
【図９】穴形状をキャビネットの面上に配置した画面である。
【図１０】穴加工位置が禁止領域と干渉しない状態の説明図である。
【図１１】穴加工位置が独立禁止領域と干渉する状態の説明図である。
【図１２】選択画面である。
【図１３】動作手順を示すフロー図である。
【発明を実施するための形態】
【００１３】
以下に本発明の実施形態を説明する。
図１は本発明のシステムの全体構成図であり、１はキャビネットメーカー側のサーバ、２はこのサーバ１とネットワーク３を介して接続された端末である。ネットワーク３はインターネット回線が代表的なものであるがこれに限定されるものではなく、例えばメーカーと顧客間の専用回線であってもよい。
【００１４】
サーバ１の記憶装置には、キャビネットデータベース４が収納されている。キャビネットデータベース４は図２に示したように、メーカーが標準品としている多数のキャビネットのそれぞれについて、商品コード５、寸法６、価格７、図面データ８などを登録したものである。図面データ８はキャビネットデータベース４に直接登録せず、別に設けた図面データファイルをキャビネットデータベース４にリンクさせておくことができる。図面データ８には、図４に示すようにキャビネットの扉面、左右の側面、背面（ボディー正面）、天面、基板の６面の形状が含まれている。
【００１５】
またサーバ１の記憶装置には、キャビネットに取付けられる部品を集めた部品データベース９が収納されている。部品データベース９は図３に示したように、部品コード１０、寸法１１、価格１２、部品の図面データ１３などを登録したものである。これらの部品をキャビネットに取付けるためには各部品ごとに特定の取付穴を必要とするため、部品データベース９には部品に対応させて穴形状データ１４も登録されている。その一例は図５に示す通りであり、図５には「Ｒ形ルーバ・フィルタ付」のための穴形状が示されている。
【００１６】
このほかサーバ１には、汎用的な穴パターンデータ１５が登録されている。これは図６に示すように、メーカー側が予め加工可能な穴形状をパターン化して登録したものである。このようにサーバ１の記憶装置には、汎用的な穴パターンデータ１５と部品専用の穴形状データ１４とがそれぞれ登録されている。
【００１７】
図４に示すように、キャビネットデータベース４の図面データ８には、キャビネットの各面の形状とともに、各面の穴加工ができない禁止領域１６が登録されている。各面の端部から一定幅の部分は、もしその部分に穴加工が行なわれると、キャビネットとしての強度やシール性を維持できなくなる部分であるから、絶対的な禁止領域１６である。この禁止領域１６は図面データ８に書き込んでおいてもよく、端部からの距離をその都度ロジックで計算するようにしてもよい。
【００１８】
また、扉面などにはスタッドボルト等が溶接等で固着されているが、このような部分に穴加工をしようとしても、厚みがあるため穴加工用のレーザが通らず、穴加工が不可能である。従ってこれらの部分は独立した禁止領域１６である。このように、キャビネットデータベース４の各面には、穴加工ができない禁止領域１６が登録されている。
【００１９】
図１に示すように、端末２またはサーバ１上には、キャビネットデータベース４から加工対象となるキャビネットを選択する対象選択手段１７と、部品データベース９から部品を選択する部品選択手段１８と、この部品選択手段１８により選択された部品の穴形状を特定する形状特定手段１９と、特定された穴形状を選択したキャビネットの面上に配置する位置指定手段２０と、が設けられている。このほか、位置判定手段２２と選択されたキャビネットと部品とを表示する選択表示手段２１とが設けられている。この実施形態では、位置指定手段２０と位置判定手段２２と選択表示手段２１とが端末２上に置かれ、その他はサーバ１上に置かれているが、これに限定されるものではない。
以下に、各手段の役割について説明する。
【００２０】
対象選択手段１７は、キャビネットデータベース４にアクセスしてキャビネットを選択する。その初期画面は図７に示す通りである。キャビネット検索の選択ボタン２４をクリックするとキャビネット検索のプログラムが立ち上がり、図８に示す画面が端末２に表示される。顧客はこの画面からカテゴリ、商品名、キーワードなどを入力して最適なキャビネットを選択する。次に顧客は選択したキャビネットのどの面に品を配置するかを選択する。
【００２１】
同様に、部品選択手段１８は部品データベース９にアクセスし、キャビネットに取付ける部品を選択する。部品が選択されると、形状特定手段１９は部品データベース９の穴形状データ１４にアクセスし、選択された部品の穴形状を特定する。次に顧客は選択された部品の取付位置を、選択した面に位置指定手段２０により指定する。これと同時に、その部品の取付穴の位置が指定される。このほか、部品とは別に汎用的な穴パターンデータ１５から選択した穴形状をキャビネットの面上に配置することもできる。図９は図５に示した「Ｒ形ルーバ・フィルタ付」のための穴形状３０をキャビネットの扉面に配置した例を示している。
【００２２】
位置判定手段２２は、位置指定手段２０により指定された穴加工位置の適否を判断する。この判断は、上記した禁止領域１６と穴加工位置との座標を対比することにより行われる。図１０に示すように指定された穴加工位置が禁止領域１６に干渉しなければ、正常判定を行う。しかし図１１に示すように指定された穴加工位置が禁止領域１６と重なった場合には、不可判定を行う。図１１は穴加工位置が独立した禁止領域１６と重なった状態を示している。なお、穴加工位置が独立した禁止領域１６を囲む場合には警告判定を行う。
【００２３】
位置判定手段２２による判定結果は、端末２に表示される。正常判定の場合には、例えば穴加工位置を青色で表示する正常表示がなされる。このとき顧客が穴位置を確定する操作を行なうと、穴加工位置の色を例えば灰色に反転させるようにすることができる。また不可判定の場合には、指定した穴加工位置を赤色で表示する不可表示がなされる。また警告判定の場合には、その原因となった部品を例えばオレンジ色で表示する。上記した着色による表示法は一例にすぎず、メッセージや音による表示も可能である。
【００２４】
サーバ１側に作図手段２５を設け、正常判定がなされた部品情報をキャビネット図面上に作図し、作図データをサーバ１の作業領域２６に格納する。選択表示手段２１は、図１２のように選択されたキャビネットと選択された部品とを表示し、顧客に発注の前段階の確認を促す。  顧客は必要に応じて選択可能に表示された部品名を同時に発注するか否かを選択する。また作業領域２６から作図データを読み込み、レイアウトを表示させることが好ましい。確認手段２３に表示された内容は発注画面に送られる。
【００２５】
このように構成された本発明のキャビネットへの穴加工位置指定システムの動作フローを図１３に示す。発注までの手順は次の通りである。
（Ｓ１）顧客は対象選択手段１７によりサーバ１にアクセスし、キャビネットをキャビネットデータベース４中から選択する。
（Ｓ２）次に顧客は、選択されたキャビネットのどの面に部品を取付けるかを選択する。
（Ｓ３）次に顧客は、部品選択手段１８により部品データベース９にアクセスし、キャビネットに取付ける部品を選択する。
（Ｓ４）形状特定手段１９は部品データベース９の穴形状データ１４にアクセスし、選択された部品の穴形状を特定する。
（Ｓ５）顧客は、選択された部品の穴加工位置を、位置指定手段２０により指定する。
（Ｓ６）位置判定手段２２が、指定された穴加工位置の適否を判断する。
（Ｓ７）作図手段２５は、正常判定がなされた部品取付穴をキャビネット図面上に作図する。
（Ｓ８）選択表示手段２１は、キャビネットと部品を端末に表示させ、発注の前段階の確認を行う。すなわち、顧客は必要に応じて選択可能に表示された部品名を同時に発注するか否かを選択する。
（Ｓ９）選択されたキャビネットと図面とを一括して発注する。
【００２６】
以上に説明した通り、本発明のキャビネットへの穴加工位置指定システムによれば、顧客が通信回線を通じてメーカーにキャビネットを発注する際に、穴加工の指定とその穴に対応した部品の発注とを同時に行うことができ、穴加工位置をミスなく指定することができるとともに、発注作業を簡素化できる利点がある。
【符号の説明】
【００２７】
１  サーバ
２  端末
３  ネットワーク
４  キャビネットデータベース
５  商品コード
６  寸法
７  価格
８  図面データ
９  部品データベース
１０  部品コード
１１  寸法
１２  価格
１３  図面データ
１４  穴形状データ
１５  穴パターンデータ
１６  禁止領域
１７  対象選択手段
１８  部品選択手段
１９  形状特定手段
２０  位置指定手段
２１  選択表示手段
２２  位置判定手段
２４  選択ボタン
２５  作図手段
２６  作業領域
３０  穴形状
【図１】
2014182428.tif 000003
【図２】
2014182428.tif 000004
【図３】
2014182428.tif 000005
【図４】
2014182428.tif 000006
【図５】
2014182428.tif 000007
【図６】
2014182428.tif 000008
【図１０】
2014182428.tif 000009
【図１１】
2014182428.tif 000010
【図１３】
2014182428.tif 000011
【図７】
2014182428.tif 000012
【図８】
2014182428.tif 000013
【図９】
2014182428.tif 000014
【図１２】
2014182428.tif 000015